(57)【要約】【課題】スプール弁の内部に形成された通路をオイルが流通することに伴う同スプール弁の振動に起因してロック機構の不必要な禁止動作が行われ、それがバルブタイミング可変機構の適正動作の障害となることを抑制する。【解決手段】スプール弁の移動範囲内の第１領域は、ロック機構の解除室からのオイルの排出を通じて同ロック機構の禁止動作を行わせるべく、上記解除室に繋がるポートを開いた状態とする領域である。また、スプール弁の移動範囲内の第２領域は、バルブタイミング可変機構の遅角側油圧室内のオイルをスプール弁の内部に形成された排出通路を通じて排出する領域である。そして、スプール弁の移動範囲内において第１領域と第２領域とが互いに離れた位置に存在するよう、オイルコントロールバルブにおけるスプール弁の弁体、及びハウジングの各ポートが形成される。【選択図】図９
2014084778.tif 000002
【特許請求の範囲】
【請求項１】
バルブタイミング可変機構及びロック機構に繋がる複数のポートが形成されたハウジング内にスプール弁が設けられており、そのスプール弁を軸線方向に位置調整して同スプール弁の弁体で前記ポートを開閉することにより、バルブタイミング可変機構を油圧動作すべく同機構に対しオイルの給排を行うとともに、前記ロック機構による前記バルブタイミング可変機構の動作を禁止する禁止動作、もしくは前記バルブタイミング可変機構の動作を許可する許可動作を行うべく、同ロック機構に対しオイルの給排を行うオイルコントロールバルブにおいて、
前記スプール弁は、その内部にオイルを流通させる通路が形成されており、
前記スプール弁の弁体、及び前記ハウジングのポートは、前記スプール弁の移動範囲全体のうち、前記ロック機構からのオイルの排出を通じて同機構に前記禁止動作を行わせるべく前記ロック機構に繋がるポートを開く第１領域と、前記通路を通じて前記バルブタイミング可変機構に対するオイルの給排が行われる第２領域とが前記移動範囲内において離れた位置に存在するように形成されている
ことを特徴とするオイルコントロールバルブ。
【請求項２】
前記スプール弁は、その移動範囲の基準端に向けてばねにより付勢されており、
前記第１領域は、前記移動範囲内における前記基準端寄りに存在しており、
前記第２領域は、前記バルブタイミング可変機構から排出されるオイルが前記スプール弁の内部に形成された前記通路を流通する領域であって、前記第１領域に対し前記基準端の反対側で隣り合うように存在するとともに、同第１領域との間に定められた間隔がおかれている
請求項１記載のオイルコントロールバルブ。
【請求項３】
前記バルブタイミング可変機構は、可動部材によってケース内を進角側油圧室と遅角側油圧室とに区画し、それら油圧室のうちの一方にオイルを供給するとともに他方からオイルを排出して前記可動部材を動作させることにより、クランクシャフトに対するカムシャフトの相対回転位相を変化させるものであり、
前記ロック機構は、前記可動部材に設けられたピンを油圧に基づく力及びばねによる付勢力を通じて前記ケースに形成された穴に対し出し入れするものであり、オイルの排出を通じて前記油圧に基づく力を小さくすることにより前記ばねの付勢力で前記ピンを前記穴内に挿入する禁止動作を行う一方、オイルの供給を受けて前記油圧に基づく力を大きくすることにより前記ばねの付勢力に抗して前記穴から前記ピンを抜き出す許可動作を行い、上記禁止動作が行われた状態のときに前記進角側油圧室と前記遅角側油圧室とを連通する連通路を備えており、
前記第２領域は、前記バルブタイミング可変機構の前記進角側油圧室にオイルが供給されるとともに前記遅角側油圧室からオイルが排出されて前記スプール弁の内部に形成された前記通路を流通する領域である
請求項２記載のオイルコントロールバルブ。
【発明の詳細な説明】
【技術分野】
【０００１】
本発明は、オイルコントロールバルブに関する。
【背景技術】
【０００２】
自動車等の車両に搭載される内燃機関として、燃費改善や出力向上等を意図して、吸気バルブや排気バルブといった機関バルブのバルブタイミングを可変とするためのバルブタイミング可変機構を設けたものが実用化されている。
【０００３】
こうした内燃機関では、バルブタイミング可変機構に対するオイルの給排を通じてカムシャフトの端部に固定された同機構の可動部材を動作させ、それによってカムシャフトのクランクシャフトに対する相対回転位相を変更するようにしている。このようにクランクシャフトに対するカムシャフトの相対回転位相を変更することで、内燃機関においてバルブタイミングが可変とされる。また、バルブタイミング可変機構には、可動部材の動作を禁止したり許可したりするロック機構が設けられている。このロック機構は、同機構に対するオイルの給排を通じて、バルブタイミング可変機構における可動部材の動作を禁止する禁止動作、もしくは同可動部材の動作を許可する許可動作を行う。
【０００４】
バルブタイミング可変機構及びロック機構に対するオイルの給排は、それらとオイルポンプとを繋ぐ油圧回路を構成する複数の油路を通じて行われる。また、油圧回路における複数の油路の途中には、それら油路によるバルブタイミング可変機構及びロック機構に対するオイルの給排態様を変更するオイルコントロールバルブが設けられる。そして、このオイルコントロールバルブを用いてバルブタイミング可変機構及びロック機構に対するオイルの給排態様を変更することにより、バルブタイミング可変機構での可動部材の動作、及び、ロック機構の禁止動作や許可動作が行われる。
【０００５】
上記オイルコントロールバルブは、例えば特許文献１に示されるように、バルブタイミング可変機構及びロック機構に繋がる複数のポートが形成された円筒状のハウジングと、そのハウジング内に設けられて軸線方向に移動可能なスプール弁とを備えている。そして、スプール弁を軸線方向に位置調整して同スプール弁の弁体で上記複数のポートを開閉することにより、バルブタイミング可変機構及びロック機構に対するオイルの給排態様を変更する。なお、特許文献１のオイルコントロールバルブでは、スプール弁の内部にオイルを流通させるための通路が同スプール弁の軸線方向に延びるように形成されており、その通路を介してバルブタイミング可変機構に対するオイルの給排を行うことが可能となっている。
【先行技術文献】
【特許文献】
【０００６】
【特許文献１】特開２０１０−２８５９１８公報
【発明の概要】
【発明が解決しようとする課題】
【０００７】
ところで、特許文献１のオイルコントロールバルブでは、スプール弁の移動範囲内にロック機構からのオイルの排出を通じて同ロック機構に上記禁止動作を行わせる領域（以下、第１領域という）と、スプール弁の内部に形成された通路を介してバルブタイミング可変機構に対するオイルの給排を行う領域（以下、第２領域という）とが存在している。更に、上記オイルコントロールバルブでは、上記第１領域と上記第２領域とがそれらの一部で互いに重なった状態となっている。
【０００８】
ここで、スプール弁の位置が上記第２領域内に調整されることにより、同スプール弁の内部に形成された通路を介してバルブタイミング可変機構に対するオイルの給排が行われると、上記通路をオイルが流れることに伴ってスプール弁に対しその軸線方向に力（以下、流体力という）が作用する。この流体力は上記通路を流れるオイルの流速や流量の変動に起因して増減し、その流体力の増減に基づいてスプール弁が軸線方向に振動すると、同スプール弁が第２領域から第１領域に変位する可能性がある。そして、このようにスプール弁が上記振動によって第１領域に変位すると、ロック機構からオイルが排出されて同ロック機構での不必要な禁止動作が行われ、そうした禁止動作の実行に伴ってバルブタイミング可変機構での可動部材の適正な動作に支障を来す。
【０００９】
本発明はこのような実情に鑑みてなされたものであって、その目的は、スプール弁の内部に形成された通路をオイルが流通することに伴う同スプール弁の振動に起因してロック機構の不必要な禁止動作が行われ、それがバルブタイミング可変機構の適正動作の障害となることを抑制できるオイルコントロールバルブを提供することにある。
【課題を解決するための手段】
【００１０】
以下、上記課題を解決するための手段及びその作用効果について記載する。
上記課題を解決するコントロールバルブは、バルブタイミング可変機構及びロック機構に繋がる複数のポートが形成されたハウジング内にスプール弁が設けられており、同スプール弁を軸線方向に位置調整して同スプール弁の弁体で上記ポートを開閉することにより、バルブタイミング可変機構及びロック機構に対するオイルの給排を行う。そして、バルブタイミング可変機構に対するオイルの給排を通じて同機構の油圧動作が行われるとともに、ロック機構に対するオイルの給排を通じて同ロック機構によるバルブタイミング可変機構の動作を禁止する禁止動作、もしくはバルブタイミング可変機構の動作を許可する許可動作が行われる。上記スプール弁の内部にはオイルを流通させる通路が形成されており、スプール弁の位置をその移動範囲全体のうち第１領域に調整すると、ロック機構からのオイルの排出が行われて同ロック機構が上記禁止動作を行う。また、スプール弁の位置をその移動範囲全体のうち第２領域に調整すると、スプール弁の内部に形成された上記通路を通じてバルブタイミング可変機構に対するオイルの給排が行われる。
【００１１】
ここで、スプール弁の位置が上記第２領域内に調整されることにより、同スプール弁の内部に形成された通路を介してバルブタイミング可変機構に対するオイルの給排が行われると、上記通路をオイルが流れることに伴ってスプール弁に対しその軸線方向に力（以下、流体力という）が作用する。この流体力は上記通路を流れるオイルの流速や流量の変動に起因して増減し、その流体力の増減に基づいてスプール弁が軸線方向に振動すると、同スプール弁が第２領域内から第１領域側に向けて変位する可能性がある。しかし、オイルコントロールバルブにおいては、スプール弁の移動範囲内の第１領域と第２領域とが互いに離れた位置に存在するよう、スプール弁の弁体、及びハウジングのポートが形成されている。このため、上述したように振動するスプール弁が第２領域内から第１領域側に向けて変位する際、その第１領域内にスプール弁が入ることによりロック機構からオイルが排出されて同ロック機構での不必要な禁止動作が行われ、それがバルブタイミング可変機構の適正動作の障害となることを抑制できる。
【００１２】
上記オイルコントロールバルブにおいて、スプール弁はその移動範囲の基準端に向けてばねにより付勢されるものとし、第１領域はスプール弁の移動範囲内における上記基準端寄りに存在するものとすることが考えられる。また、第２領域は、バルブタイミング可変機構から排出されるオイルがスプール弁の内部に形成された通路を流通する領域であって、第１領域に対し上記基準端の反対側で隣り合うように存在するとともに、同第１領域との間に定められた間隔がおかれるものとすることが考えられる。
【００１３】
ここで、スプール弁の位置が第２領域内に調整されるとき、同スプール弁の内部に形成された通路を介してバルブタイミング可変機構から排出されたオイルの流速や流量の変動に起因してスプール弁に作用する流体力が増減し、その流体力の増減とスプール弁に作用するばねの付勢力とに基づき同スプール弁が共振する。その結果、スプール弁が軸線方向に大きく振動する。しかし、第２領域と第１領域とは互いに離れた位置に存在するため、振動するスプール弁が第１領域内に入ることは抑制される。
【００１４】
上記オイルコントロールバルブにおいて、バルブタイミング可変機構は、可動部材によってケース内を進角側油圧室と遅角側油圧室とに区画し、それら油圧室のうちの一方にオイルを供給するとともに他方からオイルを排出して可動部材を動作させてクランクシャフトに対するカムシャフトの相対回転位相を変化させるものとすることが考えられる。また、ロック機構は、上記可動部材に設けられたピンを油圧に基づく力及びばねによる付勢力を通じて上記ケースに形成された穴に対し出し入れするものとすることが考えられる。このロック機構は、オイルの排出を通じて上記油圧に基づく力を小さくすることにより上記ばねの付勢力でピンを穴内に挿入する禁止動作を行う一方、オイルの供給を受けて上記油圧に基づく力を小さくすることにより上記ばねの付勢力に抗して穴からピンを抜き出す許可動作を行う。また、ロック機構は、上記禁止動作が行われた状態のときにバルブタイミング可変機構の進角側油圧室と遅角側油圧室とを連通する連通路を備える。一方、第２領域は、バルブタイミング可変機構の進角側油圧室にオイルが供給されるとともに遅角側油圧室からオイルが排出されてスプール弁の内部に形成された通路を流通する領域とすることが考えられる。
【００１５】
ここで、バルブタイミング可変機構全体からオイルが抜けた状態であり、且つロック機構の禁止動作状態（ピンが穴に挿入された状態）のもとで、バルブタイミング可変機構の油圧動作を開始するためには、スプール弁の位置調整によりバルブタイミング可変機構の進角側油圧室と遅角側油圧室との一方にオイルを供給する。このように進角側油圧室と遅角側油圧室との一方にオイルを供給するときには、ロック機構が禁止動作状態であることから、バルブタイミング可変機構の進角側油圧室と遅角側油圧室とがロック機構の連通路を介して連通する。このため、進角側油圧室と遅角側油圧室との一方に供給されたオイルが上記連通路を介して他方に流れ、それに伴いバルブタイミング可変機構が速やかにオイルに満たされて油圧動作可能になる。その後、スプール弁の位置調整によりロック機構にオイルが供給されることにより、ロック機構のピンが穴から抜き出されて許可動作がなされると、バルブタイミング可変機構の可動部材が動作可能になる。
【００１６】
バルブタイミング可変機構の動作中、スプール弁の位置が第２領域に調整されることに起因して同スプール弁が軸線方向に振動するとき、仮にスプール弁が振動によって第２領域から第１領域に変位したとすると、ロック機構からオイルが排出されることによりばねの付勢力によってピンが穴に進入しようとする。こうしたピンの動き（禁止動作）に起因して、バルブタイミング可変機構の進角側油圧室と遅角側油圧室とがロック機構の連通路を介して連通してしまうと、それら油圧室に対するオイルの給排に基づく可動部材の動作を適切に行うことが困難になる。例えば、油圧室に対するオイルの給排に基づき可動部材を動作させる際の応答速度が低下する。しかし、スプール弁が振動によって第２領域から第１領域に変位することを抑制できるため、上述した可動部材の動作を適切に行うことが困難になるという問題が生じることを抑制できる。
【図面の簡単な説明】
【００１７】
【図１】バルブタイミング可変機構、及び、同機構を動作させる油圧回路を示す略図。
【図２】ロック機構の構造を示す断面図。
【図３】ロック機構の構造を示す断面図。
【図４】ロックモード時のオイルコントロールバルブ内部を示す断面図。
【図５】オイル充填モード時のオイルコントロールバルブ内部を示す断面図。
【図６】進角モード時のオイルコントロールバルブ内部を示す断面図。
【図７】保持モード時のオイルコントロールバルブ内部を示す断面図。
【図８】遅角モード時のオイルコントロールバルブ内部を示す断面図。
【図９】スプール弁の変位に伴うオイルコントロールバルブ内の各種油路の開口面積の変化を示すグラフ。
【図１０】スプール弁の変位に伴うオイルコントロールバルブ内の各種油路の開口面積の変化を示すグラフ。
【図１１】（ａ）及び（ｂ）は、時間経過に伴うスプール弁の変化、及びクランクシャフトに対するカムシャフトの相対回転位相の変化を示すタイムチャート。
【図１２】（ａ）及び（ｂ）は、スプール弁に作用する流体力の大きさの同スプール弁の変位に応じた変化、及び、排出通路を介して排出されるオイルの流量のスプール弁の変位に応じた変化を示すグラフ。
【図１３】（ａ）及び（ｂ）は、第２領域でのスプール弁の振動の発生に伴う同スプール弁の変位、及び、上記振動の発生時におけるクランクシャフトに対するカムシャフトの相対回転位相の変化速度をそれぞれ機関回転速度毎に示したグラフ。
【発明を実施するための形態】
【００１８】
以下、バルブタイミング可変機構に対するオイルの給排態様を変更するオイルコントロールバルブの一実施形態について、図１〜図１３を参照して説明する。
図１に示されるように、バルブタイミング可変機構１は、内燃機関のカムシャフト２（例えば吸気カムシャフト）に対しボルトにより固定された可動部材３と、カムシャフト２と同一軸線上に上記可動部材３を囲むように設けられて内燃機関のクランクシャフトの回転が伝達されるケース４とを備えている。このケース４の内周面には、カムシャフト２の軸線に向かって突出する突部５が周方向について所定の間隔をおいて複数形成されている。また、可動部材３の外周面には、カムシャフト２の軸線から離れる方向に突出する複数のベーン６がそれぞれ上記各突部５の間に位置するように形成されている。これにより、ケース４内における各突部５の間に位置する部分が、ベーン６により進角側油圧室７と遅角側油圧室８とに区画されている。
【００１９】
そして、進角側油圧室７にオイルを供給するとともに遅角側油圧室８からオイルを排出すると、可動部材３がケース４に対し図中の右回転方向に相対回転してカムシャフト２のクランクシャフトに対する相対回転位相が進角側に変化し、それによって内燃機関の機関バルブ（この例では吸気バルブ）のバルブタイミングが進角側に変化する。また、遅角側油圧室８にオイルを供給するとともに進角側油圧室７からオイルを排出すると、可動部材３がケース４に対し図中左回転方向に相対回転してカムシャフト２のクランクシャフトに対する相対回転位相が遅角側に変化し、それによって内燃機関の機関バルブのバルブタイミングが遅角側に変化する。
【００２０】
また、バルブタイミング可変機構１は、可動部材３のケース４に対する相対回転を禁止する禁止動作を行うとともに、その相対回転を許可状態とする許可動作を行うロック機構２２を備えている。なお、ロック機構２２の許可動作は、同機構２２の解除室２２ａへのオイルの供給を通じて同解除室２２ａの油圧を上昇させることによって行われる。また、ロック機構２２の禁止動作は、同機構２２の解除室２２ａからのオイルの排出を通じて同解除室２２ａの油圧を低下させることによって行われる。
【００２１】
このロック機構２２に関しては、上記禁止動作を通じて可動部材３のケース４に対する相対回転位置をその相対回転範囲の中間の位置にて固定するとともに、その固定が行われた状態での上記許可動作を通じて可動部材３のケース４に対する相対回転を許可した状態となる。上記ロック機構２２の禁止動作が行われるときの内燃機関のバルブタイミング、すなわちクランクシャフトに対するカムシャフト２の相対回転位相に関しては、内燃機関における始動時やアイドリング時に適した状態となる相対回転位相に設定される。従って、内燃機関における始動時やアイドリング時には、内燃機関のバルブタイミングを同機関の始動やアイドリングに適した状態となるようロック機構２２によって固定可能であり、そうした固定を通じて内燃機関の始動やアイドリングを良好な状態で行うことができるようになる。
【００２２】
図２に示すように、ロック機構２２には、解除室２２ａ内の油圧に基づく力及びばね２４の付勢力を受けてケース４に形成された穴２５に対し出し入れされるピン２６が設けられている。ロック機構２２では、ピン２６と穴２５とを位置合わせした状態のもと、解除室２２ａからのオイルの排出を通じて同解除室２２ａ内の油圧に基づく力を小さくすることにより、上記ばね２４の付勢力でピン２６を穴２５内に挿入する禁止動作が行われる。また、ロック機構２２では、ピン２６を穴２５に挿入した状態のもと、解除室２２ａに対するオイルの供給を通じて同解除室２２ａ内の油圧に基づく力を大きくすることにより、上記ばね２４の付勢力に抗して穴２５からピン２６を抜き出す許可動作が行われる。
【００２３】
なお、可動部材３には、ロック機構２２の上記禁止動作が行われた状態のとき、バルブタイミング可変機構１の進角側油圧室７と遅角側油圧室８とを連通する連通路２７が形成されている。この連通路２７は、ロック機構２２の許可動作が完了しているときにはピン２６により遮断状態となる。一方、許可動作完了状態にあるロック機構２２が禁止動作開始した直後であって可動部材３が動作可能なとき、例えば図３に示すようにピン２６が変位したときには、連通路２７の一部が開放状態となってバルブタイミング可変機構１の進角側油圧室７と遅角側油圧室８とが連通するようになる。
【００２４】
図１に示すように、バルブタイミング可変機構１の進角側油圧室７及び遅角側油圧室８に対するオイルの給排出、並びに、ロック機構２２の解除室２２ａに対するオイルの給排は、バルブタイミング可変機構１及びロック機構２２とオイルポンプ９とを繋ぐ油圧回路を構成する複数の油路を通じて行われる。この油圧回路における複数の油路の途中には、それら油路によるバルブタイミング可変機構１及びロック機構２２に対するオイルの給排態様を変更するオイルコントロールバルブ１０が設けられている。そして、このオイルコントロールバルブ１０を用いてバルブタイミング可変機構１及びロック機構２２に対するオイルの給排態様を変更することで、バルブタイミング可変機構１の可動部材３が動作して上述したようにクランクシャフトに対するカムシャフト２の相対回転位相が変更されたり、ロック機構２２の禁止動作や許可動作が行われたりする。
【００２５】
オイルコントロールバルブ１０は、オイルポンプ９に対し供給油路１１を介して接続されるとともに、そのオイルポンプ９により汲み上げられるオイルを貯留するためのオイルパン１２に対し排出油路１３を介して接続されている。なお、上記供給油路１１に関しては、オイルポンプ９の下流側で二つに分岐してオイルコントロールバルブ１０に対し二ヶ所で繋がっている。また、オイルコントロールバルブ１０は、バルブタイミング可変機構１の進角側油圧室７に対し進角側油路１４を介して接続されるとともに、同機構１の遅角側油圧室８に対し遅角側油路１５を介して接続されている。更に、オイルコントロールバルブ１０は、バルブタイミング可変機構１に設けられたロック機構２２の解除室２２ａに対し解除用油路２３を介して接続されている。
【００２６】
そして、オイルコントロールバルブ１０は、内燃機関の運転状態等に応じて、複数の動作モードのうちのいずれかのモードで動作される。こうしたオイルコントロールバルブ１０の動作モードとしては、例えば以下のようなロックモード、オイル充填モード、進角モード、保持モード、及び遅角モードがあげられる。
【００２７】
（ロックモード）
このモードは、ロック機構２２の禁止動作の完了状態、すなわちピン２６を穴２５に挿入した状態を維持するためのものである。このモードでは、ロック機構２２の禁止動作の完了状態のもと、排出油路１３が解除用油路２３に接続されるとともに、進角側油路１４及び遅角側油路１５がそれぞれ供給油路１１と排出油路１３との両方に対し遮断状態とされるよう、オイルコントロールバルブ１０が動作される。これにより、ロック機構２２の解除室２２ａからオイルが排出される状態になるとともに、バルブタイミング可変機構１の進角側油圧室７及び遅角側油圧室８に対するオイルの給排が禁止される。その結果、ロック機構２２の禁止動作の完了した状態、言い換えればバルブタイミング可変機構１における可動部材３のケース４に対する相対回転が禁止された状態が維持される。
【００２８】
（オイル充填モード）
このモードは、内燃機関の始動時などバルブタイミング可変機構１からオイルが抜けた状態であり、且つロック機構２２の禁止動作の完了状態（ピン２６が穴２５に挿入された状態）のもとで、バルブタイミング可変機構１の油圧動作を開始すべく同機構１をオイルで満たすためのものである。このモードでは、供給油路１１が進角側油路１４に接続されるとともに、ロック機構２２の解除用油路２３が排出油路１３に接続され、且つ遅角側油路１５が供給油路１１及び排出油路１３に対し遮断状態とされるよう、オイルコントロールバルブ１０が動作される。これにより、バルブタイミング可変機構１の進角側油圧室７にオイルが供給されるとともに、ロック機構２２の解除室２２ａからオイルが排出される状態となる。また、ロック機構２２の禁止動作の完了状態のもとでは、進角側油圧室７と遅角側油圧室８とが連通路２７（図２）によって連通するため、上述したように進角側油圧室７に供給されたオイルが連通路２７を介して遅角側油圧室８に流れる。これにより、バルブタイミング可変機構１の進角側油圧室７及び遅角側油圧室８が速やかにオイルで満たされ、それに伴ってバルブタイミング可変機構１の可動部材３が速やかに動作可能な状態になる。
【００２９】
（進角モード）
このモードは、クランクシャフトに対するカムシャフト２（図１）の相対回転位相を進角させ、それによって内燃機関のバルブタイミングを進角側に変化させるためのものである。このモードでは、供給油路１１が進角側油路１４及び解除用油路２３に接続されるとともに遅角側油路１５が排出油路１３に接続されるよう、オイルコントロールバルブ１０が動作される。これにより、バルブタイミング可変機構１の進角側油圧室７及びロック機構２２の解除室２２ａにオイルが供給されるとともに、バルブタイミング可変機構１の遅角側油圧室８からオイルが排出される。その結果、ロック機構２２が許可動作状態にされるとともに、バルブタイミング可変機構１の可動部材３がケース４に対し図中右回転方向に相対回転して内燃機関のバルブタイミングが進角側に変化する。
【００３０】
（保持モード）
このモードは、クランクシャフトに対するカムシャフト２の相対回転位相を一定に保持し、それによって内燃機関のバルブタイミングを保持状態とするためのものである。このモードでは、供給油路１１が解除用油路２３に接続されるとともに、進角側油路１４及び遅角側油路１５がそれぞれ供給油路１１と排出油路１３との両方に対し遮断状態とされるよう、オイルコントロールバルブ１０が動作される。これにより、ロック機構２２の解除室２２ａにオイルが供給されるとともに、バルブタイミング可変機構１の進角側油圧室７及び遅角側油圧室８に対するオイルの給排が禁止される。その結果、ロック機構２２が許可動作状態とされた状況のもと、バルブタイミング可変機構１における可動部材３のケース４に対する相対回転が停止して内燃機関のバルブタイミングが保持状態とされる。
【００３１】
（遅角モード）
このモードは、クランクシャフトに対するカムシャフト２の相対回転位相を遅角させ、それによって内燃機関のバルブタイミングを遅角側に変化させるためのものである。このモードでは、供給油路１１が遅角側油路１５及び解除用油路２３に接続されるとともに進角側油路１４が排出油路１３に接続されるよう、オイルコントロールバルブ１０が動作される。これにより、バルブタイミング可変機構１の遅角側油圧室８及びロック機構２２の解除室２２ａにオイルが供給されるとともに、バルブタイミング可変機構１の進角側油圧室７からオイルが排出される。その結果、ロック機構２２が許可動作状態にされるとともに、バルブタイミング可変機構１の可動部材３がケース４に対し図中左回転方向に相対回転して内燃機関のバルブタイミングが進角側に変化する。
【００３２】
ところで、バルブタイミング可変機構１においては、同機構１を作動させる際の応答性を向上させることや、油圧回路の油路（進角側油路１４、遅角側油路１５、解除用油路２３）における同機構１とオイルコントロールバルブ１０との間の部分からのオイル漏れを抑制することが要求されている。こうした要求に応えるためには、油圧回路の上記油路におけるオイルコントロールバルブ１０とバルブタイミング可変機構１との間の部分の長さを短くすることが望ましい。そして、上記の部分を短くするため、例えば上記にオイルコントロールバルブ１０にバルブタイミング可変機構１の可動部材３をカムシャフト２に固定するためのボルトとしての機能を持たせ、同バルブ１０をカムシャフト２に設けることが考えられる。
【００３３】
次に、オイルコントロールバルブ１０の詳細な構造について図４〜図８を参照して説明する。なお、図４〜図８はそれぞれ、オイルコントロールバルブ１０の動作モードを上述したロックモード、オイル充填モード、進角モード、保持モード、及び遅角モードとした状態を示す断面図である。
【００３４】
これらの図（例えば図３）に示されるオイルコントロールバルブ１０においては、円筒状のハウジング１６内にスプール弁１７が軸線方向に移動可能に設けられている。このスプール弁１７は、ハウジング１６内に設けられたばね２０の付勢力によって上記軸線方向の一端側（図中左側、以下では基準端という）に向けて付勢されている。そして、上記ばね２０の付勢力に抗してスプール弁１７を押圧するアクチュエータ２１、及び上記ばね２０によって、スプール弁１７の軸線方向についての移動が実現される。すなわち、アクチュエータ２１のスプール弁１７に対する押圧力を調整すると、その押圧力とばね２０の付勢力とが釣り合うようスプール弁１７が軸線方向に移動する。こうしたスプール弁１７の移動を通じて、同スプール弁１７の軸線方向についての位置調整が行われる。
【００３５】
スプール弁１７には、アクチュエータ２１側の端部から順に複数の弁体１８ａ〜１８ｅが互いに所定の間隔をおいて形成されている。このスプール弁１７が挿入されるハウジング１６には、油圧回路における複数の油路（供給油路１１、進角側油路１４、遅角側油路１５、解除用油路２３）とハウジング１６の内周面とをそれぞれ繋ぐように、且つハウジング１６の径方向に直線状に延びるように複数の孔１６ａ〜１６ｅが形成されている。更に、ハウジング１６には、その内周面にて開口する凹部１６ｆも形成されている。上記孔１６ａは進角側油路１４と繋がっており、上記孔１６ｂは遅角側油路１５と繋がっている。また、上記孔１６ｃと上記孔１６ｄとは供給油路１１と繋がっており、上記孔１６ｅは解除用油路２３と繋がっている。一方、ハウジング１６におけるアクチュエータ２１側（図中左側）の開口端は、油圧回路における複数の油路のうちの排出油路１３と繋がるとともに、スプール弁１７の内部に形成された排出通路１７ａと連通している。なお、この排出通路１７ａに関しては、スプール弁１７におけるアクチュエータ２１側（図中左側）の端部にて開口するとともに、スプール弁１７の軸線方向に延びて同スプール弁１７の軸線方向の中央部、より詳しくは弁体１８ｃと弁体１８ｄとの間の部分の外周面でも開口している。
【００３６】
ハウジング１６における孔１６ａ，１６ｂ，１６ｅ及び凹部１６ｆの内部は、バルブタイミング可変機構１及びロック機構２２に繋がるポートとして機能する。より詳しくは、孔１６ａは進角側油圧室７に繋がるポートとして機能し、孔１６ｂ及び凹部１６ｆは遅角側油圧室８に繋がるポートとして機能し、孔１６ｅ及び凹部１６ｆは解除室２２ａに繋がるポートとして機能する。そして、上記ハウジング１６内のスプール弁１７をその軸線方向における任意の位置、例えば図４〜図８に示される位置に変位させると、上記複数のポートがスプール弁１７の弁体１８ａ〜１８ｅによって開閉される。これにより、オイルコントロールバルブ１０の動作モードが、ロックモード、オイル充填モード、進角モード、保持モード、及び遅角モードといった複数の動作モードのうちのいずれかの動作モードとされる。こうした動作モードの切り換えを通じてバルブタイミング可変機構１（図１）に対するオイルの給排態様が変更される。そして、バルブタイミング可変機構１に対するオイルの給排態様の変更により、同機構１の可動部材３が動作してクランクシャフトに対するカムシャフト２の相対回転位相が変更されたり、同機構１のロック機構２２が動作されたりする。
【００３７】
図９は、スプール弁１７が軸線方向について変位する際の上記油圧回路における各種油路のオイルコントロールバルブ１０内に対応する部分の開口面積の変化を示すグラフである。同図に示されるように、スプール弁１７がその移動範囲の基準端（図中の横軸の左端に対応する位置）から離れるに従い、オイルコントロールバルブ１０の動作モードがロックモード、オイル充填モード、進角モード、保持モード、及び遅角モードへと順に変化してゆく。
【００３８】
なお、同図において、実線Ｌ１はロック機構２２の解除室２２ａからオイルを排出する油路の開口面積の変化を示しており、二点鎖線Ｌ２はバルブタイミング可変機構１の進角側油圧室７にオイルを供給する油路の開口面積の変化を示している。また、破線Ｌ３は、バルブタイミング可変機構１の遅角側油圧室８からオイルを排出する油路の開口面積の変化を示しており、実線Ｌ４はロック機構２２の解除室２２ａにオイルを供給する油路の開口面積の変化を示している。更に、二点鎖線Ｌ５はバルブタイミング可変機構１の遅角側油圧室８にオイルを供給する油路の開口面積の変化を示しており、二点鎖線Ｌ６はバルブタイミング可変機構１の進角側油圧室７からオイルを排出する油路の開口面積の変化を示している。すなわち、上述した各油路の開口面積がスプール弁１７の変位に応じて図示のごとく変化するよう、スプール弁１７の弁体１８ａ〜１８ｅ、並びに、ハウジング１６の孔１６ａ〜１６ｅ及び凹部１６ｆが形成されている。
【００３９】
スプール弁１７の移動範囲全体のうち、ロック機構２２の解除室２２ａからオイルを排出する油路の開口面積が実線Ｌ１で示すように「０」よりも大きくなる領域は、上記オイルの排出を通じてロック機構２２の禁止動作を行わせるべく解除室２２ａに繋がるポートを開いた状態とする第１領域となっている。なお、この第１領域では、上記解除室２２ａ（解除用油路２３）から排出されたオイルは、図４及び図５に示す態様でオイルコントロールバルブ１０を通過する。
【００４０】
また、図９に示すスプール弁１７の移動範囲全体のうち、バルブタイミング可変機構１の遅角側油圧室８からオイルを排出する油路の開口面積が破線Ｌ３で示すように「０」よりも大きくなる領域は、遅角側油圧室８内のオイルをスプール弁１７の内部に形成された排出通路１７ａを通じて排出する第２領域となっている。この第２領域は、バルブタイミング可変機構１の進角側油圧室７にオイルを供給する油路の開口面積（二点鎖線Ｌ２）が「０」よりも大きくなる領域、言い換えれば進角側油圧室７にオイルが供給される領域でもある。なお、上記第２領域では、遅角側油圧室８（遅角側油路１５）から排出されたオイル、及び進角側油圧室７（進角側油路１４）に供給されるオイルが、図６に示す態様でオイルコントロールバルブ１０を通過する。
【００４１】
図９に示すスプール弁１７の移動範囲内において、上述した第１領域と第２領域とは、互いに離れた位置に存在している。より詳しくは、第２領域が第１領域に対し上記移動範囲の基準端（図中の横軸の左端）の反対側で隣り合うように存在するとともに、それら第１領域と第２領域との間に定められた間隔がおかれている。こうした第１領域と第２領域との位置関係が成立するよう、図４〜図８に示すオイルコントロールバルブ１０におけるスプール弁１７の弁体１８ａ〜１８ｅ、及びハウジング１６の上記各ポートが形成されている。特に、弁体１８ｂ〜１８e、孔１６ｂ、及び凹部１６ｆの形状は第１領域及び第２領域の位置に大きな影響を及ぼす関係から、上述した第１領域と第２領域との位置関係を成立させるうえで弁体１８ｂ〜１８e、孔１６ｂ、及び凹部１６ｆの形成が重点的に行われる。
【００４２】
次に、オイルコントロールバルブ１０の作用について説明する。
内燃機関の運転中にクランクシャフトに対するカムシャフト２の相対回転位相を図１１（ｂ）に示すように進角側に変化させる際には、オイルコントロールバルブ１０が例えば遅角モード（図８）から進角モード（図６）に切り換えられる。この場合、スプール弁１７が基準端に向けて変位して第２領域に調整される可能性がある。このようにスプール弁１７の位置が第２領域内に調整されると、バルブタイミング可変機構１の遅角側油圧室８から排出されるオイルがスプール弁１７の内部に形成された排出通路１７ａを流れるようになる。そして、排出通路１７ａをオイルが流れることに伴い、スプール弁１７に対しその軸線方向に力（以下、流体力という）が作用する。この流体力は上記排出通路１７ａを流れるオイルの流速や流量の変動に起因して増減し、その流体力の増減とスプール弁１７に作用するばね２０の付勢力とに基づき同スプール弁１７が共振する。その結果、スプール弁１７が軸線方向に大きく振動して例えば図１１（ａ）に示すように変位する。なお、この図１１（ａ）の二点鎖線は、スプール弁１７を移動させるべき位置（目標位置）を表している。
【００４３】
ここで、上述したようにスプール弁１７が振動したとき、第１領域と第２領域とが仮に図１０に示すように一部で互いに重なった状態となっていたとすると、スプール弁１７が上記振動に伴って第２領域から第１領域における第２領域と重なる部分や重ならない部分に変位する可能性がある。そして、このようにスプール弁１７が上記振動によって第１領域に変位すると、ロック機構２２の解除室２２ａからオイルが排出されて同ロック機構２２での不必要な禁止動作が行われるおそれがある。すなわち、スプール弁１７が上記振動によって第１領域に変位したとき、図２や図３のようにロック機構２２のピン２６が穴２５に対応して位置したとすると、不必要にピン２６の穴２５内に向けた移動（禁止動作）が行われる。そして、このように不必要な禁止動作の実行に伴って、バルブタイミング可変機構１での可動部材３の適正な動作に支障を来す。
【００４４】
こうしたことに対処するため、本実施形態のオイルコントロールバルブ１０では、図９に示すように、スプール弁１７の移動範囲内において第２領域が第１領域に対し上記移動範囲の基準端（図中の横軸の左端）の反対側で隣り合うように存在するとともに、第１領域と第２領域との間に定められた間隔がおかれている。このため、スプール弁１７が上述したように振動して第２領域内から第１領域側に向けて変位したとしても、その第１領域内にスプール弁１７が入ることはない。従って、スプール弁１７が第１領域内に入ることにより、ロック機構２２の解除室２２ａからオイルが排出されて同ロック機構２２での不必要な禁止動作が行われることはなく、その不必要な禁止動作がバルブタイミング可変機構１の適正動作の障害となることもない。
【００４５】
図１２において、（ａ）はスプール弁１７に作用する上記流体力の大きさの同スプール弁１７の変位に応じた変化を示しており、（ｂ）は排出通路１７ａを介して排出されるオイルの流量のスプール弁１７の変位に応じた変化を示している。なお、同図において、実線はスプール弁１７の変位に対し図９に示す開口面積の変化特性を有する本実施形態のオイルコントロールバルブ１０に対応しており、二点鎖線はスプール弁の変位に対し図１０に示す開口面積の変化特性を有するオイルコントロールバルブに対応している。
【００４６】
本実施形態のオイルコントロールバルブ１０では、図１２（ｂ）に実線で示すように第２領域にて、排出通路１７ａを介して排出されるオイルの流量が多くなる。一方、図１０に示す開口面積の変化特性を有するオイルコントロールバルブでは、第２領域が本実施形態のオイルコントロールバルブ１０と比較して、より基準端（図中の横軸の左端）寄りに拡大しているため、排出通路を介して排出されるオイルの流量の多くなる領域も二点鎖線で示すように実線と比較して上記基準端寄りに拡大している。
【００４７】
このため、図１０に示す開口面積の変化特性を有するオイルコントロールバルブでは、図１２（ａ）に二点鎖線で示すようにスプール弁に作用する上記流体力の増大（この例ではマイナス方向への増大）が、本実施形態のオイルコントロールバルブ１０の場合（実線）とは異なり、上記基準端寄りの位置にて生じる。その結果、図１０に示す開口面積の変化特性を有するオイルコントロールバルブでは、スプール弁に作用する上記流体力に起因する振動が生じたとき、その振動に伴ってスプール弁が第２領域内から第１領域に変位し、ロック機構２２の不必要な禁止動作を招いてバルブタイミング可変機構１の適正な動作に支障を来すおそれがある。本実施形態のオイルコントロールバルブ１０では、こうした問題が発生することを抑制できる。
【００４８】
図１３において、（ａ）は第２領域でのスプール弁１７の上記振動の発生に伴う同スプール弁１７の変位を機関回転速度毎に示しており、（ｂ）は上記振動の発生時におけるクランクシャフトに対するカムシャフト２の相対回転位相の変化速度（バルブタイミング可変機構１の動作速度）を機関回転速度毎に示している。なお、同図において、実線はスプール弁１７の変位に対し図９に示す開口面積の変化特性を有する本実施形態のオイルコントロールバルブ１０に対応しており、二点鎖線はスプール弁の変位に対し図１０に示す開口面積の変化特性を有するオイルコントロールバルブに対応している。
【００４９】
図１３（ａ）からわかるように、図１０に示す開口面積の変化特性を有するオイルコントロールバルブでは、本実施形態のオイルコントロールバルブ１０と比較して、スプール弁の上記振動の発生に伴う基準端側への変位がより一層大きくなる。なお、スプール弁が二点鎖線で示すように図１３（ａ）の一転鎖線よりも基準端寄りに変位すると、同スプール弁が第１領域に入ってロック機構２２が不必要な禁止動作を行うようになる。こうしたロック機構２２の不必要な禁止動作が行われることに伴い、図１３（ｂ）に二点鎖線で示すようにクランクシャフトに対するカムシャフト２の相対回転位相の変化速度、すなわち可動部材３の応答速度が実線（本実施形態のオイルコントロールバルブ１０の場合）と比較して低下する。
【００５０】
これは、ロック機構２２の上記不必要な禁止動作の実行時、すなわち解除室２２ａからのオイルの排出に伴いばね２４の付勢力によってピン２６が穴２５に進入しようとする際、上記ピン２６の動きに起因してバルブタイミング可変機構１の進角側油圧室７と遅角側油圧室８とがロック機構２２の連通路２７を介して連通することが関係している。ロック機構２２の上記不必要な禁止動作の実行に伴い、例えば図３に示すようにピン２６が穴２５に進入した場合、進角側油圧室７と遅角側油圧室８とが連通路２７を介して連通するため、それら油圧室７，８に対するオイルの給排に基づく可動部材３の動作を適切に行うことが困難になる。より詳しくは、進角側油圧室７や遅角側油圧室８に対するオイルの給排に基づき可動部材３を動作させる際の応答速度が低下する。しかし、本実施形態のオイルコントロールバルブ１０では、こうした問題が発生することを抑制できる。
【００５１】
以上詳述した本実施形態によれば、以下に示す効果が得られるようになる。
（１）スプール弁１７の移動範囲内において第１領域と第２領域とが互いに離れた位置に存在するよう、オイルコントロールバルブ１０におけるスプール弁１７の弁体１８ａ〜１８ｅ、及び、ハウジング１６の上記各ポートが形成されている。このため、スプール弁１７が第２領域にて振動して第２領域内から第１領域側に向けて変位したとしても、その第１領域内にスプール弁１７が入ることは抑制される。従って、スプール弁１７が第１領域内に入ることにより、ロック機構２２の解除室２２ａからオイルが排出されて同ロック機構２２での不必要な禁止動作が行われることは抑制される。更に、その不必要な禁止動作がバルブタイミング可変機構１の適正動作の障害となることも抑制される。
【００５２】
（２）スプール弁１７は、その移動範囲の基準端に向けてばね２０により付勢されている。また、上記移動範囲内において、第２領域が第１領域に対しスプール弁１７の移動範囲の基準端の反対側で隣り合うように存在するとともに、それら第１領域と第２領域との間に定められた間隔がおかれている。ここで、スプール弁１７の位置が第２領域内に調整されるとき、排出通路１７ａを介してバルブタイミング可変機構１から排出されたオイルの流速や流量の変動に起因してスプール弁１７に作用する流体力が増減し、その流体力の増減とスプール弁１７に作用するばね２４の付勢力とに基づき同スプール弁１７が共振する。その結果、スプール弁１７が軸線方向に大きく振動する。しかし、第２領域と第１領域との上述した位置関係により、上記振動するスプール弁１７が第１領域内に入ることは抑制される。
【００５３】
（３）スプール弁１７の上記振動に伴うロック機構２２の不必要な禁止動作の実行時、すなわち解除室２２ａからのオイルの排出に伴いばね２４の付勢力によってピン２６が穴２５に進入しようとする際、上記ピン２６の動きに起因してバルブタイミング可変機構１の進角側油圧室７と遅角側油圧室８とがロック機構２２の連通路２７を介して連通する。そして、進角側油圧室７と遅角側油圧室８とが連通路２７を介して連通すると、それら油圧室７，８に対するオイルの給排に基づく可動部材３の動作を適切に行うことが困難になる。より詳しくは、進角側油圧室７や遅角側油圧室８に対するオイルの給排に基づき可動部材３を動作させる際の応答速度が低下する。しかし、スプール弁１７が上記振動によって第２領域から第１領域に変位することを抑制できるため、上述した可動部材の動作を適切に行うことが困難になるという問題、より詳しくは可動部材３を動作させる際の応答速度が低下するという問題が生じることを抑制できる。
【００５４】
なお、上記実施形態は、例えば以下のように変更することもできる。
・オイルコントロールバルブ１０は、バルブタイミング可変機構１の可動部材３をカムシャフト２に固定するためのボルトとしての機能を持つものである必要はない。こうした機能を持たないオイルコントロールバルブ１０であれば、カムシャフト２以外の箇所に設けることが可能になる。
【００５５】
・オイル充填モード時のオイルコントロールバルブ１０は、オイルを進角側油圧室７ではなく遅角側油圧室８に供給するものであってもよい。この場合、遅角側油圧室８に供給されたオイルがロック機構２２の連通路２７を介して進角側油圧室７に流れ、それによってバルブタイミング可変機構１が速やかに オイルで満たされる。
【００５６】
・ロック機構２２に連通路２７を設けることは必須ではなく、同連通路２７を省略してもよい。
・ロック機構２２は、可動部材３のケース４に対する相対回転位置をその相対回転範囲の中間以外の位置、例えば最遅角位置や最進角位置にて固定するものであってもよい。
【００５７】
・ばね２０を省略するとともにスプール弁１７をアクチュエータ２１に固定し、同アクチュエータ２１のみでスプール弁１７を変位させるようにしてもよい。この場合、スプール弁１７の移動範囲の基準端を基準とした第１領域と第２領域との位置関係が上記実施形態の場合と逆となるようにすることも可能になる。
【００５８】
・スプール弁１７の内部に形成された通路として排出通路１７ａを例示したが、同通路はバルブタイミング可変機構１やロック機構２２に対するオイルの供給を行うものであってもよいし、それらに対するオイルの供給と排出との両方を行うものであってもよい。この場合、上記通路をオイルが通過するオイルコントロールバルブ１０の動作モードを実現するスプール弁１７の変位領域が第２領域となる。
【００５９】
・バルブタイミング可変機構１は、排気バルブのバルブタイミング、言い換えればクランクシャフトに対する排気カムシャフトの相対回転位相を可変とするものであってもよい。
【符号の説明】
【００６０】
１…バルブタイミング可変機構、２…カムシャフト、３…可動部材、４…ケース、５…突部、６…ベーン、７…進角側油圧室、８…遅角側油圧室、９…オイルポンプ、１０…オイルコントロールバルブ、１１…供給油路、１２…オイルパン、１３…排出油路、１４…進角側油路、１５…遅角側油路、１６…ハウジング、１６ａ〜１６ｅ…孔、１６ｆ…凹部、１７…スプール弁、１７ａ…排出通路、１８ａ〜１８ｅ…弁体、２０…ばね、２１…アクチュエータ、２２…ロック機構、２２ａ…解除室、２３…解除用油路、２４…ばね、２５…穴、２６…ピン、２７…連通路。
【図１】
2014084778.tif 000003
【図２】
2014084778.tif 000004
【図３】
2014084778.tif 000005
【図４】
2014084778.tif 000006
【図５】
2014084778.tif 000007
【図６】
2014084778.tif 000008
【図７】
2014084778.tif 000009
【図８】
2014084778.tif 000010
【図９】
2014084778.tif 000011
【図１０】
2014084778.tif 000012
【図１１】
2014084778.tif 000013
【図１２】
2014084778.tif 000014
【図１３】
2014084778.tif 000015